(57)【特許請求の範囲】
【請求項１】
水平鉤部、及び、該水平鉤部から延伸された垂直部を備え、各歯部の前面に掛止可能なベース単体と、該ベース単体の垂直部とその裏面に設置した矯正器具とを縛り付ける可撓部材より成り、前記垂直部の前面に位置合わせ用の十字状基準線が形成されたことを特徴とする歯列矯正器具用ポジショニング装置。
【請求項２】
前記十字状基準線は、横方向の位置決め溝と縦方向の基準線溝から成ることを特徴とする、請求項１に記載の歯列矯正器具用ポジショニング装置。
【発明の詳細な説明】
【技術分野】
【０００１】
本発明は、歯列矯正器具用ポジショニング装置に関し、特に、矯正器具の取り付けをより便利かつ効率的にすることで、取り付けコストを抑えることができる、歯列矯正器具用ポジショニング装置に関する。
【背景技術】
【０００２】
一般に歪んだ歯並びを矯正するときは、通常歯の表面に矯正器具を貼付し、さらに各矯正器具を緊密に連接するが、従来の矯正器具は大体が次のような方法で取り付けられる（特許文献１）。
１、まず患者の歯の状態に基づいて歯型模型を製作する。
２、歯型模型に十字線を描き、内縁に蝋材を塗布する。
３、矯正器具を十字線に基づいて歯型模型の内縁に合わせ、粉末成型で単体のベースを成型する。
４、可撓部材でベースと矯正器具を縛る。
５、取り付け時は矯正器具に接着剤を塗布し、逐一患者の歯に貼付する。
６、可撓部材を取り外してベースを外し、矯正器具を歯の表面に固定した後、各矯正器具を連接して取り付けが完了する。
【先行技術文献】
【特許文献】
【０００３】
【特許文献１】米国特許第５５８６８８１号明細書
【発明の概要】
【発明が解決しようとする課題】
【０００４】
前述の従来の矯正器具の取り付け方法は、特定の患者の歯のみに使用できるだけであることに加え、専門の歯型模型技師によってベースを作製する必要があり、且つ製作と取り付けの過程全体に時間がかかり、効率が悪いだけでなく、取り付けのコストも高く、患者の経済的負担が増す。
【０００５】
本発明が解決しようとする課題は、歯列矯正器具の取り付けをより便利かつ効率よくし、取り付けコストを抑えることができる歯列矯正器具用ポジショニング装置を提供することにある。
【課題を解決するための手段】
【０００６】
請求項１に係る歯列矯正器具用ポジショニング装置は、水平鉤部、及び、該水平鉤部から延伸された垂直部を備え、各歯部の前面に掛止可能なベース単体と、該ベース単体の垂直部とその裏面に設置した矯正器具とを縛り付ける可撓部材より成り、前記垂直部の前面に位置合わせ用の十字状基準線が形成されたことを特徴とする。
【０００７】
請求項２に係る歯列矯正器具用ポジショニング装置は、請求項１に係る歯列矯正器具用ポジショニング装置において、前記十字状基準線は、横方向の位置決め溝と縦方向の基準線溝から成ることを特徴とするものである。
【０００８】
【０００９】
【発明の効果】
【００１０】
本発明によれば、従来の取り付け方法と比較して、少なくとも以下の利点がある。
取り付けの時間を節約して、作業効率を高めることができ、患者の経済的負担を軽くすることができる。
【図面の簡単な説明】
【００１１】
【図１】本発明の実施形態に係る歯形模型を示す斜視図である。
【図２】本発明の歯列矯正器具用ポジショニング装置を用いたポジショニング方法の手順を示す図である。
【図３】歯列矯正器具用ポジショニング装置を分解して示す斜視図である。
【図４】歯列矯正器具用ポジショニング装置を裏面側から示す斜視図である。
【図５】実施形態において各ベース単体をそれらベース単体に縛り付けられた矯正器具と共に歯型模型に貼付する工程を示す斜視図である。
【図６】ベース単体を矯正器具と共に歯型模型に貼付し、十字状基準線を歯型模型の十字基準線に合わせ、矯正器具の位置を適切に調整した状態を示す斜視図である。
【図７】歯型模型上において、光硬化樹脂を各ベース単体に貼付し、光硬化樹脂の内縁に噛み合わせ面の紋様を形成し、さらに同じ光硬化樹脂で各ベース単体を相互に連接する工程を示す斜視図である。
【図８】光硬化樹脂が硬化した後の連接されたベース単体を示す斜視図である。
【図９】接着剤が固まった後、各ベース単体に縛り付けられた可撓部材を特定の工具で外し、かつ各ベース単体を矯正器具から取り外す工程を示す斜視図である。
【図１０】矯正器具を歯部に固定した状態を示す斜視図である。
【発明を実施するための形態】
【００１２】
以下、本発明の実施形態を図面に基づいて詳細に説明する。図１は本発明の実施形態に係る歯形模型を示す斜視図である。図２は本発明の歯列矯正器具用ポジショニング装置を用いたポジショニング方法の手順を示す図である。図３は歯列矯正器具を分解して示す斜視図であり、図４は歯列矯正器具を裏面側から示す斜視図である。図５は各ベース単体をそれらベース単体に縛り付けられた矯正器具と共に歯型模型に貼付する工程を示す斜視図であり、図６はベース単体を歯列矯正器具と共に歯型模型に貼付し、十字状基準線を歯型模型の十字基準線に合わせ、矯正器具の位置を適切に調整した状態を示す斜視図である。図７は歯型模型上において、光硬化樹脂を各ベース単体に貼付し、光硬化樹脂の内縁に噛み合わせ面の紋様を形成し、さらに同じ光硬化樹脂で各ベース単体を相互に連接する工程を示す斜視図であり、図８は光硬化樹脂が硬化した後の連接されたベース単体を示す斜視図である。図９は接着剤が固まった後、各ベース単体に縛り付けられた可撓部材を特定の工具で外し、かつ各ベース単体を矯正器具から取り外す工程を示す斜視図であり、図１０は本発明の歯列矯正器具を歯部に固定した状態を示す斜視図である。
【００１３】
本発明の歯列矯正器具用ポジショニング装置は、ベース単体１と、ベース単体１と矯正器具２とを縛り付ける可撓部材３より成る。
この歯列矯正器具用ポジショニング装置を用いたポジショニング方法は、以下の工程を含むものである。
（工程１）患者の歯形に基づき歯型模型４を製作し、患者の歯型模型４に特定の装置で十字の基準線４１を描く（図１参照）。
【００１４】
（工程２）プラスチック射出成型方式で、異なる歯部及び異なる型式の矯正器具に基づき異なるベース単体１を製作する。各ベース単体１がそれぞれ水平鉤部１１と水平鉤部１１から下方に向かって延伸された垂直部１２とを含み、垂直部１２の前面の適切な位置に横方向の位置決め溝１２１を設け、かつ中央位置に縦方向の基準線溝１２２を設けることにより、十字状の基準線を形成する（図３参照）。
【００１５】
（工程３）各ベース単体１の垂直部１２に異なる歯部に基づいて番号１１１を付与する（図３参照）。
【００１６】
（工程４）矯正器具２を加熱した後、ベース単体１の垂直部１２の裏面に嵌置する。ベース単体１に矯正器具２の形状に基づいて矯正器具２の安定座部１２３を形成し（図４参照）、可撓部材３で位置決め溝１２１に沿って矯正器具２を縛り、ポジショニングする（図３、図５参照）。
【００１７】
（工程５）前述の各ベース単体１をこれらベース単体１に縛り付けられた矯正器具２と共に水平鉤部１１を歯型模型４の歯部に掛止させて貼付し（図５及び図６参照）、垂直部１２の位置決め溝１２１と基準線溝１２２で形成した十字状基準線を歯型模型４の十字基準線４１に合わせ、矯正器具２の位置を適切に調整する。
【００１８】
（工程６）光硬化樹脂５を前述の各ベース単体１に貼付し、光硬化樹脂５の内縁に噛み合わせ面の紋様を形成し、さらに同じ光硬化樹脂５で各ベース単体１を相互に連接する（図７参照）。
【００１９】
（工程７）光硬化樹脂５を硬化させて、連接されたベース単体１を構成する。
【００２０】
（工程８）連接された各ベース単体１をこれらベース単体１に縛り付けられた矯正器具２と共に歯型模型４から取り外す（図８参照）。
【００２１】
（工程９）各矯正器具２の背面に接着剤を塗布した後、連接した各ベース単体１をこれらベース単体１に縛り付けられた矯正器具２と共に水平鉤部１１を患者の矯正が必要な各歯部に掛止させて直接貼付する。
【００２２】
（工程１０）背面の接着剤が固まった後、各ベース単体１に縛り付けられた可撓部材３を特定の工具（一点鎖線で示す）で外し、かつ各ベース単体１を矯正器具２から取り外す（図９参照）。ベース単体１を取り外すことにより、矯正器具２がそれぞれ矯正の必要がある歯部の表面に接着剤で固定される（図１０参照）。
【００２３】
（工程１１）歯科医は、金属等の線材によって歯の表面に固定された各矯正器具２を相互に連接させて矯正器具の取り付け作業を完了することができる。
【００２４】
上述をまとめると、本発明は事前に成型したベース単体に、ベース単体に縛り付けた矯正器具を組み合わせ、歯列矯正器具の取り付けをより便利かつ効率的にし、取り付けのコストを抑えることができる。
【符号の説明】
【００２５】
１  ベース単体
１１  水平鉤部
１１１  番号
１２  垂直部
１２１  位置決め溝
１２２  基準線溝
１２３  安定座部
２  矯正器具
３  可撓部材
４  歯形模型
４１  基準線
５  光硬化樹脂
【図１】
0005284319.tif 000002
【図２】
0005284319.tif 000003
【図３】
0005284319.tif 000004
【図４】
0005284319.tif 000005
【図５】
0005284319.tif 000006
【図６】
0005284319.tif 000007
【図７】
0005284319.tif 000008
【図８】
0005284319.tif 000009
【図９】
0005284319.tif 000010
【図１０】
0005284319.tif 000011